(57)【特許請求の範囲】
【請求項１】
建築物の壁基材に取り付けられ最下段の外壁板を支持するスタータ金具であって、
平板状の第１固定板と、
前記第１固定板の下部から延出された第１下フランジと、
平板状の第２固定板と、
前記第２固定板の下部から延出された第２下フランジと、
前記第１固定板の延在方向と前記第２固定板の延在方向とが交わるように前記第１及び第２固定板を互いに連結する連結部と
を備え、
前記建築物の角において出合う前記壁基材の２つの面に前記第１及び第２固定板がそれぞれ固定されるとともに、前記壁基材の２つの面に取り付けられる最下段の外壁板を前記第１及び第２下フランジがそれぞれ支持するように構成されており、
前記第１及び第２下フランジの側端は、前記スタータ金具の開放側端を構成しており、
前記連結部の下部には、上下方向に係る前記連結部の幅を上下方向に係る前記第１及び第２固定板の幅よりも狭くする切り欠きが設けられており、
上下方向に係る前記切り欠きの幅は、上下方向に係る前記連結部の幅よりも狭い、
ことを特徴とするスタータ金具。
【請求項２】
前記第１及び第２下フランジには、平板状の第１及び第２下フランジ本体が設けられており、
前記第１及び第２下フランジ本体には、複数の開口が設けられており、
前記複数の開口は、前記第１及び第２下フランジ本体の縁から離れて配置されている
ことを特徴とする請求項１記載のスタータ金具。
【請求項３】
前記第１固定板の上部から延出された第１上フランジと、
前記第２固定板の上部から延出された第２上フランジと
をさらに備えている
ことを特徴とする請求項１又は請求項２に記載のスタータ金具。
【請求項４】
前記第１及び第２上フランジには、平板状の第１及び第２上フランジ本体と、前記第１及び第２上フランジ本体の先端から突出された下向リップ又は上向リップとが設けられている
ことを特徴とする請求項３記載のスタータ金具。
【請求項５】
前記切り欠きは、前記連結部の上部にさらに設けられており、
上下方向に係る前記連結部の中央位置は、上下方向に係る前記第１及び第２固定板の中央位置に一致されている
請求項３又は請求項４に記載のスタータ金具。
【請求項６】
請求項１から請求項５までのいずれか１項に記載のスタータ金具を用いた建築物の建築方法であって、
前記建築物の複数の角において、各スタータ金具の高さ位置を合わせながら、各角において出合う前記壁基材の２つの面に各スタータ金具の前記第１及び第２固定板をそれぞれ固定する工程と、
前記スタータ金具の間を埋めるように直線状のスタータ金具を前記壁基材に取り付ける工程と
を含むことを特徴とする建築物の建築方法。
【発明の詳細な説明】
【技術分野】
【０００１】
本発明は、最下段の外壁板を支持するスタータ金具及びそれを用いた建築物の建築方法に関する。
【背景技術】
【０００２】
従来用いられていたこの種のスタータ金具としては、例えば下記の特許文献１等に示されている構成を挙げることができる。図５は従来のスタータ金具を示す斜視図である。図において、従来のスタータ金具５は、直線状に延在された長手状部材であり、平板状の固定板５０と、固定板５０の下部から延出された下フランジ５１と、固定板５０の上部から延出された上フランジ５２とが設けられている。固定板５０は、例えば胴縁等の建築物の壁基材１００に固定されている。下フランジ５１は、壁基材１００に取り付けられる最下段の外壁板（図示せず）を支持し、上フランジ５２は壁基材１００と外壁板との間に空隙を確保する。このようなスタータ金具５は、建築物の１つの角を起点として一方向に建築物を一周するように順に連結される。
【先行技術文献】
【特許文献】
【０００３】
【特許文献１】登録実用新案第３１６６７７０号公報
【発明の概要】
【発明が解決しようとする課題】
【０００４】
図６は、図５の領域ＶＩを拡大して示す斜視図である。上述のように、従来のスタータ金具５は、直線状に延在された長手状部材であり、建築物の１つの角を起点として一方向に建築物を一周するように順に連結される。そして、スタータ金具５の連結を繰り返すうちにスタータ金具５の高さ位置にずれが生じ、連結起点におけるスタータ金具５の高さ位置と連結終点におけるスタータ金具５の高さ位置とがずれることがある（図６参照）。このようなスタータ金具５の高さ位置のずれは、異なる面にスタータ金具５を取り付ける建築物の角において生じやすい。
【０００５】
本発明は、上記のような課題を解決するためになされたものであり、その目的は、建築物の角において生じるスタータ金具の高さ位置のずれを低減できるスタータ金具及びそれを用いた建築物の建築方法を提供することである。
【課題を解決するための手段】
【０００６】
本発明に係るスタータ金具は、建築物の壁基材に取り付けられ最下段の外壁板を支持するスタータ金具であって、平板状の第１固定板と、第１固定板の下部から延出された第１下フランジと、平板状の第２固定板と、第２固定板の下部から延出された第２下フランジと、第１固定板の延在方向と第２固定板の延在方向とが交わるように第１及び第２固定板を互いに連結する連結部とを備え、建築物の角において出合う壁基材の２つの面に第１及び第２固定板がそれぞれ固定されるとともに、壁基材の２つの面に取り付けられる最下段の外壁板を第１及び第２下フランジがそれぞれ支持するように構成されており、第１及び第２下フランジの側端は、スタータ金具の開放側端を構成しており、連結部の下部には、上下方向に係る連結部の幅を上下方向に係る第１及び第２固定板の幅よりも狭くする切り欠きが設けられており、上下方向に係る切り欠きの幅は、上下方向に係る連結部の幅よりも狭い。
【０００７】
また、本発明に係るスタータ金具を用いた建築物の建築方法は、上記のスタータ金具を用いた建築物の建築方法であって、建築物の複数の角において、各スタータ金具の高さ位置を合わせながら、各角において出合う壁基材の２つの面に各スタータ金具の第１及び第２固定板をそれぞれ固定する工程と、スタータ金具の間を埋めるように直線状のスタータ金具を壁基材に取り付ける工程とを含む。
【発明の効果】
【０００８】
本発明のスタータ金具及びそれを用いた建築物の建築方法によれば、第１固定板の延在方向と第２固定板の延在方向とが交わるように連結部が第１及び第２固定板を互いに連結し、建築物の角において出合う壁基材の２つの面に第１及び第２固定板がそれぞれ固定されるようにスタータ金具が構成されているので、このスタータ金具に他のスタータ金具を連結することで、建築物の角において生じるスタータ金具の高さ位置のずれを低減できる。
【図面の簡単な説明】
【０００９】
【図１】本発明の実施の形態１によるスタータ金具を示す斜視図である。
【図２】図１のスタータ金具の変形例である。
【図３】本発明の実施の形態２によるスタータ金具を示す斜視図である。
【図４】本発明の実施の形態３によるスタータ金具を示す斜視図である。
【図５】従来のスタータ金具を示す斜視図である。
【図６】図５の領域ＶＩを拡大して示す斜視図である。
【発明を実施するための形態】
【００１０】
実施の形態１．
以下、本発明を実施するための形態について、図面を参照して説明する。
図１は、本発明の実施の形態１によるスタータ金具１を示す斜視図である。図１に示すスタータ金具１は、建築物の突出した角（出隅）において建築物の壁基材１００に取り付けられるものである。出隅において出合う壁基材１００の２つの面を第１面１００ａ及び第２面１００ｂと呼ぶ。壁基材１００は、例えば胴縁等である。
【００１１】
スタータ金具１には、図右側に示す第１固定板１０、第１下フランジ１１及び第１上フランジ１２、図左側に示す第２固定板１３、第２下フランジ１４及び第２上フランジ１５、並びに図中央に示す連結部１６が設けられている。
【００１２】
第１固定板１０は、壁基材１００の第１面１００ａに固定される平板状の部材である。第１下フランジ１１は第１固定板１０の下部から延出され、第１上フランジ１２は第１固定板１０の上部から延出されている。壁基材１００の第１面１００ａに接する側を第１固定板１０の裏面と呼び、その逆側（第１下フランジ１１及び第１上フランジ１２が延出されている側）を第１固定板１０の表面と呼ぶ。
【００１３】
第１下フランジ１１には、第１固定板１０の表面に対して略垂直な方向に延在された平板状の第１下フランジ本体１１ａと、第１下フランジ本体１１ａの先端から上方に向けて突出された第１上向リップ１１ｂとが設けられている。第１下フランジ１１は、壁基材１００の第１面１００ａに取り付けられる最下段の最下段の外壁板（図示せず）を支持する。第１上向リップ１１ｂは外壁板の下部に設けられた溝に係合される。
【００１４】
第１上フランジ１２には、第１固定板１０の表面に対して略垂直な方向に延在された平板状の第１上フランジ本体１２ａと、第１上フランジ本体１２ａの先端から下方に向けて突出された第１下向リップ１２ｂとが設けられている。第１上フランジ１２は、第１下フランジ１１に支持された外壁板と壁基材１００の第１面１００ａとの間に隙間を確保する。
【００１５】
第１下フランジ本体１１ａ及び第１上フランジ本体１２ａには、複数の楕円状開口１１ｃ，１２ｃが設けられている。楕円状開口１１ｃ，１２ｃは、外壁板が取り付けられた後に通風孔又は排水口として機能する。
【００１６】
第２固定板１３は、壁基材１００の第２面１００ｂに固定される平板状の部材である。第２下フランジ１４は第２固定板１３の下部から延出され、第２上フランジ１５は第２固定板１３の上部から延出されている。壁基材１００の第２面１００ｂに接する側を第２固定板１３の裏面と呼び、その逆側（第２下フランジ１４及び第２上フランジ１５が延出されている側）を第２固定板１３の表面と呼ぶ。
【００１７】
第２下フランジ１４には、第２固定板１３の表面に対して略垂直な方向に延在された平板状の第２下フランジ本体１４ａと、第２下フランジ本体１４ａの先端から上方に向けて突出された第２上向リップ１４ｂとが設けられている。第２下フランジ１４は、壁基材１００の第２面１００ｂに取り付けられる最下段の最下段の外壁板（図示せず）を支持する。第２上向リップ１４ｂは外壁板の下部に設けられた溝に係合される。
【００１８】
第２上フランジ１５には、第２固定板１３の表面に対して略垂直な方向に延在された平板状の第２上フランジ本体１５ａと、第２上フランジ本体１５ａの先端から下方に向けて突出された第２下向リップ１５ｂとが設けられている。第２上フランジ１５は、第２下フランジ１４に支持された外壁板と壁基材１００の第２面１００ｂとの間に隙間を確保する。
【００１９】
第２下フランジ本体１４ａ及び第２上フランジ本体１５ａには、複数の楕円状開口１４ｃ，１５ｃが設けられている。楕円状開口１４ｃ，１５ｃは、外壁板が取り付けられた後に通風孔又は排水口として機能する。
【００２０】
連結部１６は、第１固定板１０の延在方向１０ａと第２固定板１３の延在方向１３ａとが交わるように第１及び第２固定板１０，１３を互いに連結するＬ字状の板部である。図１に示すスタータ金具１は９０度の出隅に対応するものであり、連結部１６は第１固定板１０の裏面と第２固定板１３の裏面との間の角度θｒが９０度となるように、第１及び第２固定板１０，１３を連結している。なお、角度θｒを９０度以外の角度としてもよい。
【００２１】
第１及び第２下フランジ１１，１４の側端１１ｄ，１４ｄは、スタータ金具１の開放側端を構成している。すなわち、第１及び第２下フランジ１１，１４はスタータ金具１の端部位置まで延在されているとともに、第１及び第２下フランジ１１，１４の側端１１ｄ，１４ｄを塞ぐような壁面（第１及び第２固定板１０，１３の延在面並びに第１及び第２下フランジ１１，１４の延在面に直交する壁面）はスタータ金具１の端部位置に設けられていない。
【００２２】
次に、図２は図１のスタータ金具１の変形例である。図２に示すスタータ金具１は、建築物の窪んだ角（入隅）において建築物の壁基材１００に取り付けられるものである。連結部１６は、第１固定板１０の裏面と第２固定板１３の裏面との間の角度θｒが２７０度となるように、第１及び第２固定板１０，１３を連結している。
【００２３】
次に、図１及び図２のスタータ金具１を用いた建築物の建築方法を説明する。まず、建築物の複数の角において出合う壁基材の２つの面（第１及び第２面１００ａ，１００ｂ）に各スタータ金具１の第１及び第２固定板１０，１３をそれぞれ固定する。このとき、各スタータ金具１の高さ位置を互いに合わせる。
【００２４】
その次に、建築物の角に取り付けられたスタータ金具１の間を埋めるように直線状のスタータ金具を壁基材１００に取り付ける。直線状のスタータ金具としては、図５に示すようなスタータ金具５を用いることができる。このとき、角用のスタータ金具１の側端と直線状のスタータ金具５の側端とが突き合わされる。上述のように第１及び第２下フランジ１１，１４の側端１１ｄ，１４ｄがスタータ金具１の開放側端を構成していることで、角用のスタータ金具１の第１及び第２下フランジ１１，１４と直線状のスタータ金具の下フランジとを連続させることができる。
【００２５】
その次に、角用のスタータ金具１の第１及び第２下フランジ１１，１４と直線状のスタータ金具の下フランジとに最下段の外壁板を支持させるとともに、最下段の外壁板の上に外壁板を順次積み重ねて建築物の外壁を構成する。
【００２６】
このようなスタータ金具１及びそれを用いた建築物の建築方法によれば、第１固定板１０の延在方向１０ａと第２固定板１３の延在方向１３ａとが交わるように連結部１６が第１及び第２固定板１０，１３を互いに連結し、建築物の角において出合う壁基材の２つの面（第１及び第２面１００ａ，１００ｂ）に第１及び第２固定板１０，１３がそれぞれ固定されるようにスタータ金具１が構成されているので、このスタータ金具１に他のスタータ金具を連結することで、建築物の角において生じるスタータ金具の高さ位置のずれを低減できる。特に、第１及び第２下フランジ１１，１４の側端１１ｄ，１４ｄがスタータ金具１の開放側端を構成しているので、角用のスタータ金具１の第１及び第２下フランジ１１，１４と直線状のスタータ金具の下フランジとにより連続する下フランジを構成することができ、スタータ金具の高さ位置のずれをより確実に低減できる。
【００２７】
また、建築物の複数の角において、各スタータ金具１の高さ位置を合わせながら、各角において出合う前記壁基材の２つの面（第１及び第２面１００ａ，１００ｂ）に各スタータ金具１の第１及び第２固定板１０，１３をそれぞれ固定して、スタータ金具１の間を埋めるように直線状のスタータ金具を壁基材１００に取り付けるので、建築物の角に設けられたスタータ金具１を高さ基準として直線状のスタータ金具を設置できる。これにより、高さ位置を調整しながら長い距離にわたって直線状のスタータ金具を連結しなければならない従来構成と比較して、より容易にスタータ金具の高さ位置のずれをより確実に低減できる。
【００２８】
実施の形態２．
図３は、本発明の実施の形態２によるスタータ金具を示す斜視図である。実施の形態１では、第１及び第２上フランジ１２，１５に第１及び第２下向リップ１２ｂ，１５ｂが設けられるように説明したが、図３に示すように第１及び第２上フランジ１２，１５に上向リップ１２ｄ，１５ｄが設けられてもよい。その他の構成は、実施の形態１と同じである。
【００２９】
実施の形態３．
図４は、本発明の実施の形態３によるスタータ金具を示す斜視図である。実施の形態１では、第１及び第２上フランジ１２，１５に第１及び第２下向リップ１２ｂ，１５ｂが設けられるように説明したが、図３に示すように第１及び第２上フランジ１２，１５にリップが設けられなくてもよい。その他の構成は、実施の形態１と同じである。
【００３０】
なお、実施の形態１〜３では下フランジ本体及び上フランジ本体が平板状であると説明したが、これら下フランジ本体及び上フランジ本体の形状は任意である。
【００３１】
また、実施の形態１〜３では上フランジが設けられるように説明したが、この上フランジは省略されてもよい。
【符号の説明】
【００３２】
１  スタータ金具
１０  第１固定板
１１  第１下フランジ
１２  第１上フランジ
１３  第２固定板
１４  第２下フランジ
１５  第２上フランジ
１６  連結部
１００  壁基材
【図１】
0006533683.tif 000002
【図２】
0006533683.tif 000003
【図３】
0006533683.tif 000004
【図４】
0006533683.tif 000005
【図５】
0006533683.tif 000006
【図６】
0006533683.tif 000007